(57)【特許請求の範囲】
【請求項１】
１つの液晶表示素子に複数のヒーター状態を同時に表示可能な構成において、各前記ヒーターの状態を表示する要素を集約してヒーター表示群とし、各前記ヒーター表示群の間に仕切り線なる表示要素を設けて、各前記ヒーター表示群を視覚的に区分するようにするとともに、各前記ヒーター表示群の表示状態により、前記仕切り線の点灯及び消灯を選択するようにした加熱調理器。
【請求項２】
複数の前記ヒーター表示群を表示する場合は、前記仕切り線を点灯し、１つの前記ヒーター表示群のみ表示する、または全ての前記ヒーター表示群を表示しない場合は、前記仕切り線を消灯するようにした請求項１に記載の加熱調理器。
【請求項３】
隣接する前記ヒーター表示群をともに表示する場合は、隣接する前記ヒーター表示群を区分するための前記仕切り線を点灯し、隣接する前記ヒーター表示群の少なくとも一方を表示しない場合は、隣接する前記ヒーター表示群を区分するための前記仕切り線を消灯するようにした請求項１に記載の加熱調理器。
【請求項４】
３つ以上の前記ヒーターを備えて、３つ以上の前記ヒーターの内、少なくとも２つ以上の前記ヒーターの状態について１つの液晶表示素子にて表示し、残りの少なくとも１つ以上の前記ヒーターの状態について１つの前記液晶表示素子とは別の手段にて表示する構成において、複数の前記ヒーター表示群を表示する場合の１表示として、前記別の手段での表示を含めないようにした請求項２に記載の加熱調理器。
【請求項５】
前記ヒーター表示群を表示する場合として、各前記ヒーターの故障表示を含めるようにした請求項２〜４のいずれか１項に記載の加熱調理器。
【請求項６】
前記ヒーター表示群を表示する場合として、各前記ヒーターの誤使用表示を含めるようにした請求項２〜４のいずれか１項に記載の加熱調理器。
【発明の詳細な説明】
【技術分野】
【０００１】
本発明は、一般キッチンや業務用等に用いられる加熱調理器に関するものである。
【背景技術】
【０００２】
近年、この種の加熱調理器、特に、誘導加熱調理器は安全・清潔・高効率という優れた特徴が認知され、普及されている。
【０００３】
この加熱調理器には、鍋などを加熱する複数のヒーターと、魚・鶏肉・茄子などを焼くグリルヒーターを備え、各ヒーターの表示部と操作部を上下方向に配置して操作表示部とし、かつ各ヒーターの操作表示部を横方向に並べて配置したものがある。
【０００４】
そして、前記鍋などを加熱するヒーターに、自動湯沸かし・炊飯・お粥などの自動調理機能を備え、前記グリルヒーターに、生魚・切身・干物・つけ焼きといった魚の状態に応じて、または鶏肉・茄子・グラタンといった調理物を自動調理する機能を備えている（例えば、特許文献１参照）。
【０００５】
また、このような加熱調理器の中には、複数ヒーターの表示部を１つの液晶表示素子にて実現し、操作表示部を覆うメンブレンの窓枠で各ヒーターの表示部に区分したものがある（例えば、特許文献２参照）。
【特許文献１】特開２００２−６５４７４号公報
【特許文献２】特開平１１−８５０５５号公報
【発明の開示】
【発明が解決しようとする課題】
【０００６】
しかしながら、前記従来の構成では、各ヒーターで操作部のスイッチの数にさほど大きな差はないので、各ヒーターの操作表示部の大きさをおよそ均等になるようにしていたが、昨今の自動調理機能の充実に伴って、特にグリルヒーターの表示部の表示要素が増大する傾向にあり、各ヒーターでおよそ均等の大きさの表示部では、グリルヒーターの各表示要素を他のヒーターの表示要素よりも小さくしなければならず、視認性に劣りかつ他ヒーターの表示とのバランス性を損ねてしまう。
【０００７】
これを解決するために、グリルヒーターの表示部を左右方向に広げ、その分だけ他ヒーターの表示部を左右方向に縮めてしまうと、ヒーター間で操作部の境界と表示部の境界の不連続性が目立ってしまいデザイン性を損ねてしまう。
【０００８】
更にこれを解決するために、各ヒーターの表示部を１つの表示素子で構成し、メンブレンの窓枠で区分しないようにするだけでは、複数ヒーターの表示を同時に行った場合に、各ヒーターの表示がどこまでなのかが分かり難く、視認性に欠けるという課題を有していた。
【０００９】
本発明は、前記従来の課題を解決するもので、視認性とデザイン性を両立しつつ、１つの液晶表示素子に複数ヒーターの状態を同時に表示可能とすることを目的とする。
【課題を解決するための手段】
【００１０】
前記従来の課題を解決するために、本発明の加熱調理器は、１つの液晶表示素子に複数のヒーター状態を同時に表示可能な構成において、各前記ヒーター状態を表示する要素を集約してヒーター表示群とし、各前記ヒーター表示群の間に仕切り線なる表示要素を設けて、各前記ヒーター表示群を視覚的に区分するようにするとともに、各前記ヒーター表示群の表示状態により、前記仕切り線の点灯及び消灯を選択するようにしたものである。
【００１１】
これによって、１つの液晶表示素子に対して、メンブレンの窓枠で各ヒーターおよそ均等に分断して他のヒーターよりも機能の充実したヒーターの表示要素が小さくなったり、前記メンブレンの窓枠で前記機能の充実したヒーターの表示部が大きくなるように分断してヒーター間の操作部の境界と表示部の境界の不連続性が目立つのを防ぐ。
【００１２】
また、仕切り線なる表示要素で、１つの液晶表示素子で表示する各ヒーターの表示要素がどの部分まで該当するかを明確にする。また、１つのヒーターの表示のみ行う場合は、仕切り線を消灯して前記液晶表示素子の中で表示があたかも１箇所に集められて窮屈に見えてしまうのを緩和することができる。
【発明の効果】
【００１３】
本発明の加熱調理器は、あるヒーターの表示要素が他のヒーターのものに比べて小さくなってバランス性を損ねる、またはヒーター間で操作部の境界と表示部の境界の不連続性が目立ってデザイン性を損ねるのを防ぎつつ、１つの液晶表示素子で複数ヒーターの状態を明確に区分して、同時に表示しても視認性を確保することができる。また、１つのヒーターの表示のみ行う場合は、仕切り線を消灯して前記液晶表示素子の中で表示があたかも１箇所に集められて窮屈に見えてしまうのを緩和することができる。
【発明を実施するための最良の形態】
【００１４】
第１の発明は、１つの液晶表示素子に複数のヒーター状態を同時に表示可能な構成において、各前記ヒーターの状態を表示する要素を集約してヒーター表示群とし、各前記ヒーターの表示群の間に仕切り線なる表示要素を設けて、各前記ヒーター表示群を視覚的に区分するようにするとともに、各前記ヒーター表示群の表示状態により、前記仕切り線の点灯及び消灯を選択するようにすることにより、１つの液晶表示素子に対して、メンブレンの窓枠で各ヒーターおよそ均等に分断して他のヒーターよりも機能の充実したヒーターの表示要素が小さくなり、視認性に劣りかつ他ヒーターの表示とのバランス性を損ねてしまうのを防ぎ、または前記メンブレンの窓枠で前記機能の充実したヒーターの表示部が大きくなるように分断してヒーター間の操作部の境界と表示部の境界の不連続性が目立ってしまいデザイン性を損ねてしまうのを防ぐことができる。
【００１５】
そして、仕切り線なる表示要素で、１つの液晶表示素子で表示する各ヒーターの表示要素がどの部分まで該当するかを明確にすることができる。
また、１つのヒーターの表示のみ行う場合は、仕切り線を消灯して前記液晶表示素子の中で表示があたかも１箇所に集められて窮屈に見えてしまうのを緩和することができる。
【００１６】
第２の発明は、特に、第１の発明において、複数の前記ヒーター表示群を表示する場合は、前記仕切り線を点灯し、１つの前記ヒーター表示群のみ表示する、または全ての前記ヒーター表示群を表示しない場合は、前記仕切り線を消灯するようにすることにより、１つの液晶表示素子の中で、複数のヒーターの表示を行う場合は、仕切り線を点灯して、各ヒーターの表示要素がどの部分まで該当するかを明確にし、１つのヒーターの表示のみ行う場合は、仕切り線を消灯して前記液晶表示素子の中で表示があたかも１箇所に集められて窮屈に見えてしまうのを緩和することができる。
【００１７】
第３の発明は、特に、第１の発明において、隣接する前記ヒーター表示群をともに表示する場合は、隣接する前記ヒーター表示群を区分するための前記仕切り線を点灯し、隣接する前記ヒーター表示群の少なくとも一方を表示しない場合は、隣接する前記ヒーター表示群を区分するための前記仕切り線を消灯するようにすることにより、１つの液晶表示素子の中で、２つのヒーターの表示を隣接して行う場合は、これらの隣接する表示を区分するための仕切り線を点灯して、２つのヒーターの表示要素がどの部分まで該当するかを明確にし、隣接する２つのヒーターの内で１つのヒーターのみ表示を行う場合は、前記隣接する表示を区分するための仕切り線を消灯して前記液晶表示素子の中で表示があたかも１箇所に集められて窮屈に見えてしまうのを緩和することができる。更に、１つの液晶表示素子の中に３つ以上のヒーターの表示群を備えた場合に、各ヒーターの表示群を区分する仕切り線について点灯する機会を減じることができる。
【００１８】
第４の発明は、特に、第２の発明において、３つ以上の前記ヒーターを備えて、３つ以上の前記ヒーターの内、少なくとも２つ以上の前記ヒーターの状態について１つの液晶表示素子にて表示し、残りの少なくとも１つ以上の前記ヒーターの状態について前記１つの液晶表示素子とは別の手段にて表示する構成において、複数の前記ヒーター表示群を表示する場合の１表示として、前記別の手段での表示を含めないようにすることにより、例えば、４つのヒーターを備えて、この中の２つのヒーターについては１つの液晶表示素子で表示し、残り２つのヒーターについては別の表示手段にて表示するような構成の場合、前記残り２つのヒーターの少なくとも１つを使用中であっても、１つの液晶表示素子で表示する２つのヒーターをともに使用しない限りは仕切り線を点灯しないようにして、１つの液晶表示素子で１つのヒーターのみ表示を行うときに窮屈に見えてしまうのを緩和することができる。
【００１９】
第５の発明は、特に、第２〜４のいずれか１つの発明において、前記ヒーター表示群を表示する場合として、各前記ヒーターの故障表示を含めるようにすることにより、例えば、あるヒーターは使用中であり、かつ別のあるヒーターは構成部品の故障を示す故障表示を行いつつヒーターへの通電を遮断している場合にも仕切り線を点灯するので、１つの液晶表示素子の中で、どこまでが前記あるヒーターの表示で、どこまでが前記別のあるヒーターの故障表示なのかを明確にすることができる。
【００２０】
第６の発明は、特に、第２〜４のいずれか１つの発明において、前記ヒーター表示群を表示する場合として、各前記ヒーターの誤使用表示を含めるようにすることにより、例えば、あるヒーターは使用中であり、かつ別のあるヒーターは誤った使われ方をされた旨の誤使用表示を行いつつヒーターへの通電を遮断している場合にも仕切り線を点灯するので、１つの液晶表示素子の中で、どこまでが前記あるヒーターの表示で、どこまでが前記別のあるヒーターの誤使用表示なのかを明確にすることができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における加熱調理器の斜視図である。図１に示すように、本実施の形態における加熱調理器は、機器の天面部に、鍋などを加熱するための左加熱部１、右加熱部２、および後加熱部３の３つの加熱部（ヒーター）を備え、機器の側面に、魚・鶏肉・茄子などを焼くためのグリル加熱部（ヒーター）４を備えている。そして、左加熱部１の加熱有無や火力変更などを操作／表示するための左操作表示部５を左加熱部１の近傍に、右加熱部２の加熱有無や火力変更などを操作／表示するための右操作表示部６を右加熱部２の近傍に備え、後加熱部３とグリル加熱部４の加熱有無や火力変更などを操作／表示するための後／グリル操作表示部７を機器の側面でグリル加熱部４の右側に備えている。なお、後／グリル操作表示部７は、機器へ収納可能な構成となっている。
【００２３】
図２は、本発明の実施の形態１における加熱調理器の左操作表示部５の詳細図である。まず、左加熱部１は、動作モードとして、調理終了の初期モード、調理の種類を選択する選択モード、調理を実行する調理モードの大きく３つのモードに分かれ、更に、調理の種類として、火力「保温」〜「９」まで１０段階の一定火力で加熱する加熱、１分〜９時間３０分まで設定した時間だけ火力「保温」〜「９」まで１０段階の一定火力で加熱するタイマ加熱、サーミスタなどの温度センサで検知する温度に基づき火力を自動調節して鍋内の油を１４０℃〜２００℃で１０℃刻みの設定温度に維持する揚げ物、サーミスタなどの温度センサで検知する温度に基づき鍋内の水が沸騰するのを検知するまで高火力で加熱する自動湯沸かし、サーミスタなどの温度センサで検知する温度に基づき鍋内の１〜３カップのお米を自動で炊き上げる炊飯の５種類を備えている。
【００２４】
そして、図２に示すように、左表示部５１で、初期／選択／調理モードの何れであるか、また調理の種類が加熱／タイマ加熱／揚げ物／自動湯沸かし／炊飯の何れであるかを表示し、加熱／タイマ加熱の場合の設定火力、タイマ加熱の場合の残時間、揚げ物の場合の設定温度や予熱の有無、自動湯沸かしの場合の沸騰／保温、炊飯の場合の設定カップ数や残時間などを表示する。
【００２５】
そして、初期モードのときに、左メニューキー５７を操作して、調理の種類を加熱／タイマ加熱→揚げ物→自動湯沸かし→炊飯の順で選択し、加熱／タイマ加熱の場合は、左タイママイナスキー５３または左タイマプラスキー５４で１分〜９時間３０分までのタイマ時間を設定可能とし、炊飯の場合は、左火力ダウンキー５５または左火力アップキー５６で１〜３カップまでのカップ数を設定した後に、左切／スタートキー５８を操作して調理モードへ移行する。
【００２６】
また、調理モードへ移行後も、加熱／タイマ加熱の場合は、左タイママイナスキー５３または左タイマプラスキー５４で残時間を変更し、左火力ダウンキー５５または左火力アップキー５６で設定火力を変更し、揚げ物の場合は、左火力ダウンキー５５または左火力アップキー５６で設定温度を変更することができる。
【００２７】
図３は、本発明の実施の形態１における加熱調理器の右操作表示部６の詳細図である。まず、右加熱部２は、動作モードとして、調理終了の初期モード、調理の種類を選択する選択モード、調理を実行する調理モードの大きく３つのモードに分かれ、更に、調理の種類として、火力「保温」〜「９」まで１０段階の一定火力で加熱する加熱、１分〜９時間３０分まで設定した時間だけ火力「保温」〜「９」まで１０段階の一定火力で加熱するタイマ加熱、サーミスタなどの温度センサで検知する温度に基づき火力を自動調節して鍋内の油を１４０℃〜２００℃で１０℃刻みの設定温度に維持する揚げ物、サーミスタなどの温度センサで検知する温度に基づき鍋内の水が沸騰するのを検知するまで高火力で加熱する自動湯沸かしの４種類を備えている。
【００２８】
そして、図３に示すように、右表示部６１で、初期／選択／調理モードの何れであるか、また調理の種類が加熱／タイマ加熱／揚げ物／自動湯沸かしの何れであるかを表示し、加熱／タイマ加熱の場合の設定火力、タイマ加熱の場合の残時間、揚げ物の場合の設定温度や予熱の有無、自動湯沸かしの場合の沸騰／保温などを表示する。
【００２９】
そして、初期モードのときに、右メニューキー６７を操作して、調理の種類を加熱／タイマ加熱→揚げ物→自動湯沸かしの順で選択し、加熱／タイマ加熱の場合は、右タイママイナスキー６３または右タイマプラスキー６４で１分〜９時間３０分までのタイマ時間を設定可能とし、右切／スタートキー６８を操作して調理モードへ移行する。
【００３０】
また、調理モードへ移行後も、加熱／タイマ加熱の場合は、右タイママイナスキー６３または右タイマプラスキー６４で残時間を変更し、右火力ダウンキー６５または右火力アップキー６６で設定火力を変更し、揚げ物の場合は、右火力ダウンキー６５または右火力アップキー６６で設定温度を変更することができる。
【００３１】
また、図４は、本発明の実施の形態１における加熱調理器の後／グリル操作表示部７の詳細図である。まず、後加熱部３は、動作モードとして、調理終了の初期モード、炊飯調理を選択する選択モード、調理を実行する調理モードの大きく３つのモードに分かれ、更に、調理の種類として、火力「保温」〜「６」まで７段階の一定火力で加熱する加熱、１分〜９時間３０分まで設定した時間だけ火力「保温」〜「６」まで７段階の一定火力で加熱するタイマ加熱、サーミスタなどの温度センサで検知する温度に基づき鍋内の１または２カップのお米を自動で炊き上げる炊飯の３種類を備えている。
【００３２】
また、グリル加熱部４は、動作モードとして、調理終了の初期モード、調理の種類を選択する選択モード、調理を実行する調理モードの大きく３つのモードに分かれ、更に、調理の種類として、火力「弱」・「中」・「強」の３段階の一定火力で加熱する手動、１分〜３０分まで設定した時間だけ火力「弱」・「中」・「強」の３段階の一定火力で加熱するタイマ手動、サーミスタなどの温度センサで検知する温度に基づき焼き加減「弱」・「中」・「強」の３段階で調理物を自動で焼き上げるもので、秋刀魚や鯵などの生魚を自動で焼き上げる自動（生姿焼き）、鮭の切身や鯵の開きなどを自動で焼き上げる自動（切身／干物）、鰤の照り焼きや鰆の西京漬けなどを自動で焼き上げる自動（つけ焼き）、鶏のもも肉などを自動で焼き上げる自動（とり肉）、グラタンを自動で焼き上げる自動（グラタン）、茄子を自動で焼き上げる自動（焼きなす）、サーミスタなどの温度センサで検知する温度に基づきグリル庫内を１４０℃〜２８０℃で２０℃刻みの設定温度に維持する温度設定、サーミスタなどの温度センサで検知する温度に基づきグリル庫内を所定温度まで予熱した後に維持してグリル庫内の汚れを揮発させるお手入れの１０種類を備えている。
【００３３】
そして、図４に示すように、後／グリル操作表示部７は、液晶表示素子７１内で、グリル加熱部４の状態を表示する要素を集約したグリル表示群７２を左側に、後加熱部３の状態を表示する要素を集約した後表示群７３を右側に配置して、グリル表示群７２と後表示群７３との間に仕切り線７４を設け、液晶表示素子７１の下方で、グリル加熱部４の状態を変更するためのグリル操作部８０を左側に、後加熱部３の状態を変更するための後操作部８７を右側に配置して、およそグリル表示群７２の下方にグリル操作部８０、後表示群７３の下方に後操作部８７が配置されるようにしている。
【００３４】
そして、グリル表示群７２で、初期／選択／調理モードの何れであるか、また調理の種類が手動／タイマ手動／自動（生姿焼き）／自動（切身／干物）／自動（つけ焼き）／自動（とり肉）／自動（グラタン）／自動（焼きなす）／温度設定／お手入れの何れであるかを表示し、手動／タイマ手動の場合の設定火力、自動の場合の焼き加減設定、タイマ手動／自動／お手入れの場合の残時間、温度設定の場合の設定温度などを表示する。
【００３５】
そして、初期モードのときに、グリルタイママイナスキー８１またはグリルタイマプラスキー８２で、調理の種類をタイマ手動にして１分〜３０分までのタイマ時間を設定可能とし、グリル選択キー８５を操作して、調理の種類を自動（生姿焼き）→自動（切身／干物）→自動（つけ焼き）→自動（とり肉）→自動（グラタン）→自動（焼きなす）→温度設定→お手入れの順で選択した後、自動（生姿焼き〜焼きなす）の場合は、グリル火力ダウンキー８３またはグリル火力アップキー８４で焼き加減を「弱」・「中」・「強」の中から選択し、温度設定の場合は、グリル火力ダウンキー８３またはグリル火力アップキー８４で設定温度を１４０℃〜２８０℃の中から選択し、グリル切／入キー８６を操作して調理モードへ移行する。
【００３６】
更に、調理モードへ移行後も、手動／タイマ手動の場合は、グリルタイママイナスキー８１またはグリルタイマプラスキー８２で残時間を変更し、グリル火力ダウンキー８３またはグリル火力アップキー８４で設定火力を変更し、温度設定の場合は、グリル火力ダウンキー８３またはグリル火力アップキー８４で設定温度を変更することができる。
【００３７】
また、後表示群７３で、初期／選択／調理モードの何れであるか、また調理の種類が加熱／タイマ加熱／炊飯の何れであるかを表示し、加熱／タイマ加熱の場合の設定火力、タイマ加熱の場合の残時間、炊飯の場合の設定カップ数や残時間などを表示する。
【００３８】
そして、初期モードのときに、後自動キー８ｃで調理の種類を炊飯に選択した後、後火力ダウンキー８ａまたは後火力アップキー８ｂで１または２カップに設定可能とし、後タイママイナスキー８８または後タイマプラスキー８９で調理の種類をタイマ加熱にして１分〜９時間３０分までのタイマ時間を設定可能とし、後切／入キー８ｄで調理モードの加熱／タイマ加熱／炊飯に何れかに移行する。
【００３９】
更に、調理モードへ移行後も、加熱／タイマ加熱の場合は、後タイママイナスキー８８または後タイマプラスキー８９で残時間を変更し、後火力ダウンキー８ａまたは後火力アップキー８ｂで設定火力を変更できる。
【００４０】
なお、グリル操作部８０と後操作部８７の境界に対して、仕切り線７４を真上ではなく、少し右側にずらしているのは、グリル表示群７２と後表示群７３の表示要素がほぼ同じ大きさになるようにするためである。
【００４１】
これが、例えば、液晶表示素子７１をメンブレンの窓枠によってグリル表示群７２と後表示群７３を均等に分断してしまうと、グリル表示群７２の表示要素が小さくなって、視認性に劣りかつ他ヒーターの表示とのバランス性を損ねてしまう。また、これを回避するために、メンブレンの窓枠でグリル表示群７２が大きくなるように分断してしまうと、グリル操作部８０と後操作部８７の境界と、グリル表示群７２と後表示群７３の境界の不連続性が目立ってしまいデザイン性を損ねてしまう。
【００４２】
そこで、仕切り線７４が後タイママイナスキー８８の印刷「−」や後火力ダウンキー８ａの印刷「←」を越えない範囲で、液晶表示素子７１を、仕切り線７４によって、グリル操作部８０と後操作部８７の境界に対して少し右側にずらして区分することにより、グリル加熱部４に関連するグリル表示群７２・グリル操作部８０のグループと、後加熱部３に関連する後表示群７３・後操作部８７のグループとの区別し易さを維持しつつ、グリル表示群７２の表示が見づらくグリル表示群７２と後表示群７３のバランス性を損ねてしまうのを防ぎ、かつグリル操作部８０と後操作部８７の境界と、グリル表示群７２と後表示群７３の境界の不連続性が目立ってしまうのを防ぐことができる。
【００４３】
さて、以上のように構成された加熱調理器について、図１、図４、図５〜図９を用いて、その動作、作用を説明する。
【００４４】
まず、電源スイッチ９をオフ→オンにすると、左加熱部１、右加熱部２、後加熱部３、およびグリル加熱部４は全て初期モードになる。このときの液晶表示素子７１の表示は、グリル表示群７２および後表示群７３はともに全ての表示要素を消灯し、仕切り線７４も消灯して、右端の音声機能に関する表示のみ行う。
【００４５】
つぎに、グリル加熱部４を使用し、後加熱部３を使用しない場合について説明する。電源スイッチ９をオフ→オンした後に、グリル選択キー８５を１回操作すると、グリル加熱部４は、動作モードを初期モード→選択モードに変更し、調理の種類は自動（生姿焼き）で、焼き加減設定は「中」を選択する。その後、グリル切／入キー８６を操作すると、グリル加熱部４は、動作モードを選択モード→調理モードに変更し、自動（生姿焼き）の調理を開始するとともに暫定の残時間を２２分に設定し、その後、サーミスタなどの温度センサで検知する温度に基づきグリル庫内の調理物の量を計測し残時間を確定する。
【００４６】
このときの液晶表示素子７１の表示は、図５に示すように、右端の音声機能に関する表示はそのままで、グリル表示群７２で自動（生姿焼き）・焼き加減「中」の調理モードで残時間２２分である旨の表示を行い、後表示群７３は全ての表示要素を消灯し、仕切り線７４も消灯する。
【００４７】
つぎに、グリル加熱部４を使用せずに、後加熱部３を使用する場合について説明する。電源スイッチ９をオフ→オンした後に、後加熱部３に鍋を設置し、後タイマプラスキー８９を１回操作すると、後加熱部３は、動作モードを初期モード→選択モードに変更し、調理の種類はタイマ加熱で、残時間１分を選択する。更に、後タイマプラスキー８９を複数回操作して残時間８時間に変更し、後切／入キー８ｄを操作すると、後加熱部３は、動作モードを選択モード→調理モードに変更し、残時間８時間・設定火力「５」でタイマ加熱調理を開始する。その後、後火力ダウンキー８ａを３回操作すると、設定火力を「５」→「４」→「３」→「２」と変更する。
【００４８】
このときの液晶表示素子７１の表示は、図６に示すように、右端の音声機能に関する表示はそのままで、グリル表示群７２は全ての表示要素を消灯し、仕切り線７４も消灯し、後表示群７３では調理モードの残時間８時間・設定火力「２」のタイマ加熱である旨の表示を行う。
【００４９】
以上の構成により、後加熱部３とグリル加熱部４の少なくとも一方が未使用の場合は、液晶表示素子７１の仕切り線７４を消灯して、液晶表示素子７１の中でグリル表示群７２または後表示群７３の表示があたかも１箇所に集められて窮屈に見えてしまうのを緩和することができる。
【００５０】
つぎに、グリル加熱部４と後加熱部３をともに使用する場合について説明する。電源スイッチ９をオフ→オンした後に、後加熱部３に鍋を設置し、後タイマプラスキー８９を１回操作すると、後加熱部３は、動作モードを初期モード→選択モードに変更し、調理の種類はタイマ加熱で、残時間１分を選択する。更に、後タイマプラスキー８９を複数回操作して残時間８時間に変更し、後切／入キー８ｄを操作すると、後加熱部３は、動作モードを選択モード→調理モードに変更し、残時間８時間・設定火力「５」でタイマ加熱調理を開始する。その後、後火力ダウンキー８ａを３回操作すると、設定火力を「５」→「４」→「３」→「２」と変更する。
【００５１】
また、グリル選択キー８５を１回操作すると、グリル加熱部４は、動作モードを初期モード→選択モードに変更し、調理の種類は自動（生姿焼き）で、焼き加減設定は「中」を選択する。その後、グリル切／入キー８６を操作すると、グリル加熱部４は、動作モードを選択モード→調理モードに変更し、自動（生姿焼き）の調理を開始するとともに暫定の残時間を２２分に設定し、その後、サーミスタなどの温度センサで検知する温度に基づきグリル庫内の調理物の量を計測し残時間を確定する。
【００５２】
このときの液晶表示素子７１の表示は、図７に示すように、右端の音声機能に関する表示はそのままで、グリル表示群７２で自動（生姿焼き）・焼き加減「中」の調理モードで残時間２２分である旨の表示を行い、後表示群７３で調理モードの残時間８時間・設定火力「２」のタイマ加熱である旨の表示を行い、仕切り線７４を点灯する。
【００５３】
以上の構成により、後加熱部３とグリル加熱部４をともに使用する場合は、液晶表示素子７１の仕切り線７４を点灯して、グリル表示群７２と後表示群７３の境界を明確にすることができる。
【００５４】
つぎに、グリル加熱部４を使用し、後加熱部３は誤使用状態にある場合について説明する。電源スイッチ９をオフ→オンした後に、後加熱部３に空のフライパンを設置し、後切／入キー８ｄを操作すると、後加熱部３は、動作モードを初期モード→調理モードに変更し、設定火力「５」で加熱調理を開始する。その後、後火力アップキー８ｂを１回操作すると、設定火力を「５」→「６」に変更する。しかしながら、この状態で放置していると、やがてサーミスタなどの温度センサで検知する温度に基づきフライパンが空であることを検知する空焼き検知機能が作動して加熱を終了する。
【００５５】
また、グリル選択キー８５を６回操作すると、グリル加熱部４は、動作モードを初期モード→選択モードに変更し、調理の種類は自動（焼きなす）で、焼き加減設定は「中」を選択する。その後、グリル切／入キー８６を操作すると、グリル加熱部４は、動作モードを選択モード→調理モードに変更し、自動（焼きなす）の調理を開始するとともに暫定の残時間を２０分に設定し、その後、サーミスタなどの温度センサで検知する温度に基づきグリル庫内の調理物の量を計測し残時間を確定する。
【００５６】
このときの液晶表示素子７１の表示は、図８に示すように、右端の音声機能に関する表示はそのままで、グリル表示群７２で自動（焼きなす）・焼き加減「中」の調理モードで残時間２０分である旨の表示を行い、後表示群７３で空焼き検知機能が作動した旨の表示「Ｕ７１」を行い、仕切り線７４を点灯する。
【００５７】
以上の構成により、グリル加熱部４を使用し、かつ後加熱部３は誤った使われ方をされた旨の誤使用表示を行いつつヒーターへの通電を終了している場合にも、仕切り線７４を点灯するので、液晶表示素子７１の中で、どこまでがグリル加熱部４の表示で、どこまでが後加熱部３の誤使用表示なのかを明確にすることができる。
【００５８】
つぎに、グリル加熱部４は故障状態にあり、後加熱部３を使用する場合について説明する。グリル加熱部４の温度センサが断線破壊してしまった状態で、電源スイッチ９をオフ→オンすると、グリル表示群７２で故障表示し加熱を遮断するとともに、グリル操作部８０の全てのキーを受け付けない。
【００５９】
また、後加熱部３に鍋を設置し、後切／入キー８ｄを操作すると、後加熱部３は、動作モードを初期モード→調理モードに変更し、設定火力「５」で加熱調理を開始する。その後、後火力アップキー８ｂを１回操作すると、設定火力を「５」→「６」と変更する。
【００６０】
このときの液晶表示素子７１の表示は、図９に示すように、右端の音声機能に関する表示はそのままで、グリル表示群７２で温度センサが断線破壊している旨の表示「Ｈ０３」を行い、後表示群７３で調理モードの設定火力「６」の加熱である旨の表示を行い、仕切り線７４を点灯する。
【００６１】
以上の構成により、後加熱部３を使用し、かつグリル加熱部４は構成部品の故障を示すの故障表示を行いつつヒーターへの通電を遮断している場合にも、仕切り線７４を点灯するので、液晶表示素子７１の中で、どこまでが後加熱部３の表示で、どこまでがグリル加熱部４の故障表示なのかを明確にすることができる。
【００６２】
つぎに、左加熱部１と右加熱部２の少なくとも１つを使用するときの、液晶表示素子７１の表示について説明する。電源スイッチ９をオフ→オンした後に、左加熱部１に鍋を設置し、左メニューキー５７を１回操作すると、左加熱部１は、動作モードを初期モード→選択モードに変更し、調理の種類は加熱を選択し、左表示部５１にてその旨を表示する。その後、左切／スタートキー５８を操作すると、左加熱部１は、動作モードを選択モード→調理モードに変更し、設定火力「５」で加熱調理を開始し、左表示部５１にてその旨を表示する。
【００６３】
この状態で、グリル選択キー８５を１回操作した後にグリル切／入キー８６を操作すると、グリル加熱部４は、自動（生姿焼き）の調理を開始するとともに暫定の残時間を２２分に設定し、その後、サーミスタなどの温度センサで検知する温度に基づきグリル庫内の調理物の量を計測し残時間を確定する。
【００６４】
このときの液晶表示素子７１の表示は、すでに図５で示したように、右端の音声機能に関する表示はそのままで、グリル表示群７２で自動（生姿焼き）・焼き加減「中」の調理モードで残時間２２分である旨の表示を行い、後表示群７３は全ての表示要素を消灯し、仕切り線７４も消灯する。
【００６５】
また、電源スイッチ９をオフ→オンした後に、右加熱部２に油の入った鍋を設置し、右メニューキー６７を２回操作すると、右加熱部２は、動作モードを初期モード→選択モードに変更し、調理の種類は揚げ物を選択し、右表示部６１にてその旨を表示する。その後、右切／スタートキー６８を操作すると、右加熱部２は、動作モードを選択モード→調理モードに変更し、設定温度「１８０」で揚げ物調理を開始し、右表示部６１にてその旨を表示する。
【００６６】
この状態で、後加熱部３に鍋を設置し、後タイマプラスキー８９を複数回操作して残時間８時間とし、後切／入キー８ｄを操作した後に、後火力ダウンキー８ａを３回操作すると、後加熱部３は、残時間８時間・設定火力「２」でタイマ加熱調理を行う。
【００６７】
このときの液晶表示素子７１の表示は、すでに図６で示したように、右端の音声機能に関する表示はそのままで、グリル表示群７２は全ての表示要素を消灯し、仕切り線７４も消灯し、後表示群７３では調理モードの残時間８時間・設定火力「２」のタイマ加熱である旨の表示を行う。
【００６８】
更に、この状態で、グリル選択キー８５を１回操作した後にグリル切／入キー８６を操作すると、グリル加熱部４は、自動（生姿焼き）の調理を開始するとともに暫定の残時間を２２分に設定し、その後、サーミスタなどの温度センサで検知する温度に基づきグリル庫内の調理物の量を計測し残時間を確定する。
【００６９】
このときの液晶表示素子７１の表示は、すでに図７で示したように、右端の音声機能に関する表示はそのままで、グリル表示群７２で自動（生姿焼き）・焼き加減「中」の調理モードで残時間２２分である旨の表示を行い、後表示群７３で調理モードの残時間８時間・設定火力「２」のタイマ加熱である旨の表示を行い、仕切り線７４を点灯する。
【００７０】
以上の構成により、左表示部５１と右表示部６１の少なくとも１つが表示する状態であっても、液晶表示素子７１で表示するグリル表示群７２と後表示群７３の両方が表示しない限りは仕切り線７４を消灯するようにして、液晶表示素子７１で１つのヒーターのみ表示を行うときに窮屈に見えてしまうのを緩和することができる。
【００７１】
なお、実施の形態１では、液晶表示素子７１には、グリル表示群７２と後表示群７３の２つの加熱部の状態を表示し、これらを区分するために仕切り線７４を１本だけ備えた構成であるが、３つ以上の加熱部の状態を表示する構成、例えば、後／グリル操作表示部７にあたる箇所へ、左操作表示部５と右操作表示部６を配置換えして、液晶表示素子７１に左表示部５１・右表示部６１・グリル表示部７２・後表示部７３を配置し、それぞれの表示部の間に仕切り線を合計３本設けた構成も考えられる。
【００７２】
上記の構成の場合に、左表示部５１・右表示部６１・グリル表示部７２・後表示部７３の内で、複数の表示部で表示する場合は、前記３本の仕切り線を全て点灯し、１つの表示部のみ表示または全ての表示部を表示しない場合は、前記３本の仕切り線を全て消灯することにより、実施の形態１と同様の効果を得ることができる。
【００７３】
また、上記の構成の場合で、各仕切り線について、隣接する表示部がともに表示する場合は点灯し、前記隣接する表示部の少なくとも一方が消灯する場合は消灯するようにすると、実施の形態１と同様の効果を得るとともに、それぞれの仕切り線が点灯される機会を減じることができる。
【００７４】
さらに、左加熱部１、右加熱部２、後加熱部３のヒーターは、誘導加熱装置、ラジェントヒーター、ハロゲンヒーター、渦巻きのシーズヒーターなど鍋を加熱できるものであれば特に制限されるものではなく、グリル加熱部４のヒーターは、シーズヒーター、ハロゲンヒーター、スチームヒーターなど魚や鶏肉を焼くことができるものであれば特に制限されるものではない。
【産業上の利用可能性】
【００７５】
以上のように、本発明にかかる加熱調理器は、あるヒーターの表示要素が他のヒーターに比べて小さくなってバランス性を損ねる、またはヒーター間で操作部の境界と表示部の境界の不連続性が目立ってデザイン性を損ねるのを防ぎつつ、１つの液晶表示素子で複数ヒーターの状態を明確に区分して同時に表示するので、一般家庭用キッチンおよび業務用の多口誘導加熱調理器や、ラジェントヒーターやシーズヒーターを加えた多口加熱調理器等の用途にも適用できる。
【図面の簡単な説明】
【００７６】
【図１】本発明の実施の形態１における加熱調理器の斜視図
【図２】同、左操作表示部の詳細図
【図３】同、右操作表示部の詳細図
【図４】同、後／グリル操作表示部の詳細図
【図５】同、グリル加熱部を使用−後加熱部を未使用のときの表示例の図
【図６】同、グリル加熱部を未使用−後加熱部を使用のときの表示例の図
【図７】同、グリル加熱部を使用−後加熱を使用のときの表示例の図
【図８】同、グリル加熱部を使用−後加熱部は誤使用のときの表示例の図
【図９】同、グリル加熱部は故障−後加熱を使用のときの表示例の図
【符号の説明】
【００７７】
１  左加熱部（ヒーター）
２  右加熱部（ヒーター）
３  後加熱部（ヒーター）
４  グリル加熱部（ヒーター）
５１  左表示部
６１  右表示部
７１  液晶表示素子
７２  グリル表示群
７３  後表示群
７４  仕切り線
【図１】
0004962155.tif 000002
【図２】
0004962155.tif 000003
【図３】
0004962155.tif 000004
【図４】
0004962155.tif 000005
【図５】
0004962155.tif 000006
【図６】
0004962155.tif 000007
【図７】
0004962155.tif 000008
【図８】
0004962155.tif 000009
【図９】
0004962155.tif 000010